(57)【要約】【課題】  従来のコーヒーバッグは袋の容量、サイズ等は大きく変わらないが、カップの口径の大小に適応させるため支持体の構造は複雑で全体的にも大きく、使用する厚紙の面積量も多かった。【解決手段】  支持板７と８は下方へ長く伸び出ているため下方側ほど大きく開きカップの口径の大小に適応しやすく又、その内側方向への復元力でカップの縁と外壁面を係止部が強くとらえ固定セット力も高い【選択図】      図１
2005199013.tif 000002
【特許請求の範囲】
【請求項１】
通水濾過性を有する柔軟なシートで袋１をつくり、これは上方が開放した上方口４を有している、さらに、この上方口４の周囲外壁面側に支持体として筒状の口部フレーム３を一体に取り付けている、この口部フレーム３には縦方向に折り目２を均等間隔で４ヶ所もうけている、袋１の上方口４を平たく閉じた時に生じる左右の折り部５を中心にこの口部フレーム３には折り返し部６を各もうけている、この口部フレーム３の前側１６と後側１７からはそれぞれ下方に長く伸び出た支持板７と８をもうけており、これは前側１６や後側１７の巾より下方側ほど広い形状をしており、この先端部には各それぞれ中央に係止用凸部９と両サイドには係止用凸部１０を各もうけ、その間を係止用凹部１１としている。
【請求項２】
支持板７と８の下方先端にもうけた両サイドの係止用凸部１０の先端をさらに水平内側方向に伸ばしＬ字型にした係止用Ｌ部１２とした請求項１記載のドリップ抽出バッグ。
【請求項３】
前記係止部において両サイドの係止用Ｌ部１２の先端をさらに伸ばし両サイドどうしの先端で一体になった係止用一体部１３と係止用スペース１４とさらに係止用凸部９とで係止部を構成した請求項１記載のドリップ抽出バッグ。
【発明の詳細な説明】
【技術分野】
【０００１】  本発明は、レギュラーコーヒーのドリップ式抽出バッグに関する。
【背景技術】
【０００２】  従来のコーヒーバッグは、濾過性袋内にコーヒー粉を入れ、この袋を厚紙等の支持体でカップ上にセットしている。
【特許文献１】  特開２０００−２１１６７０号  公報
【発明の開示】
【発明が解決しようとする課題】
【０００３】  従来のコーヒーバッグは袋の容量、サイズ等は大きく変わらないが、カップの口径の大小に適応させるため支持体の構造は複雑で全体的にも大きく、使用する厚紙の面積量も多かった。【０００４】  そのため組み立て使用に手数を要し又、コスト高の原因でもあった。【０００５】  本発明は、このような従来の課題を解決するため、支持体の構造を単純にしてカップの口径にも適応しやすく、使用する厚紙の面積量も少なくして低コスト化を計るものである。
【課題を解決するための手段】
【０００６】  そして、本発明は上記目的を達成するために通水濾過性を有する柔軟なシートで袋１を作り、これは上方が開放した上方口４を有している、さらにこの上方口４の周囲外壁面側に支持体として筒状の口部フレーム３を一体に取り付けている、この口部フレーム３には縦方向に折り目２を均等間隔で４ヶ所もうけている、袋１の上方口４を平たく閉じた時に生じる左右の折り部５を中心にこの口部フレーム３には折り返し部６を各もうけている、この口部フレーム３の前側１６と後側１７からはそれぞれ下方に長く伸び出た支持板７と８をもうけており、これは前側１６や後側１７の巾より下方側ほど広い形状をしており、この先端部には各それぞれ中央に係止用凸部９と両サイドには係止用凸部１０を各もうけその間を係止用凹部１１としている。【０００７】  又、両サイドにもうけた係止用凸部１０の先端をさらに水平内側方向に伸ばしＬ字型にした係止用Ｌ部１２としても良い。【０００８】  又、Ｌ字型の係止用Ｌ部１２の先端をさらに伸ばし両サイドどうしの先端で一体になった係止用一体部１３と係止用スペース１４とさらに係止用凸部９とで係止部を構成しても良い。
【発明の効果】
【０００９】  以上からなる本発明はカップ１５上に濾過性の袋１を上方口４を開いた状態で保つための口部フレーム３とその下方に伸び出た支持板７と８でカップ１５上に保持しカップ１５の縁に係止するための係止用凸部９と１０さらに係止用凹部１１によりセット固定するもので袋１の外壁面全体を被服する支持具材や袋１の外方向に大きく伸び出た支持体構造を有せず、コンパクトで必要最小限の構造と支持具材で構成してシンプル化を図っている。【００１０】  支持板７と８は下方へ長く伸び出ているため下方側ほど大きく開きカップの口径の大小に適応しやすく又、その内側方向への復元力でカップの縁と外壁面を係止部が強くとらえ固定セット力も高い
【発明の実施するための最良の形態】
【００１１】  以下、本発明の実施の形態を図１〜図３に基づいて説明する。
【００１２】  そのため図に示す様に、通水濾過性を有する柔軟なシートで袋１を作り、これは上方が開放した上方口４を有している、さらにこの上方口４の周囲外壁面側に上方口４を開いた状態で保つための支持体として筒状の口部フレーム３を一体に取り付けている。この口部フレーム３には縦方向に折り目を均等間隔で４ヶ所もうけている、さらに、袋１の上方口４を平たく閉じ収納していた時に生じる左右の折り部５を伸ばすためにこの折り部５を中心にこの口部フレーム３には折り返し部６を各左右にそれぞれもうけており又、この口部フレーム３の前側１６と後側１７にはそれぞれ下方に長く伸び出た支持板７と８をもうけており、これは前側１６や後側１７の巾より下方側ほど広い形状をしており、この先端部には各それぞれカップ１５の縁に固定セットするための係止用凸部９と両サイドには係止用凸部１０を各もうけ、その間を係止用凹部１１としている。
【００１３】  作用と使用法については、口部フレーム３の左右に各もうけた折り返し部６をそれぞれ外側に折り曲げ、水平にして折り部５を伸ばし上方口４を四角形状に開き、さらに口部フレーム３の前後側に設けた支持板７と８をその長さを利用して下方側を外方向に開いた、支持板７と８自体の弾性による復元力でカップ１５の口径サイズに適応させて、その先端部にもうけた係止部の係止用凸部９をカップ１５の内壁面をとらえ位置させ両サイドに設けた係止用凸部１０を各カップ１５の外壁側に位置させカップ１５の縁を捉え固定セットする。
【００１４】  又、指示板７と８の先端にもうけた係止部の両サイド側の係止用凸部１０の先端を水平内側方向に伸ばしてＬ字型にした係止用Ｌ部１２とした場合はＬ字型の先端がカップ１５の外壁面を捉え、固定支持性が高まる。
【００１５】  さらにＬ字型の係止用Ｌ部１２の先端をさらに伸ばし両サイドの係止用Ｌ部１２の先端どうしを一体にして係止用一体部１３として係止用凸部９と係止用スペース１４とで構成した係止部とした場合さらに強い固定セット性を有する。
【図面の簡単な説明】
【００１６】
【図１】本発明の使用状態を示す斜視図
【図２】係止部の実施例２を示す側面図で斜視図
【図３】係止部の実施例３を示す側面図で斜視図
【符号の説明】
【００１７】  １は袋
２は折り目
３は口部フレーム
４は上方口
５は折り部
６は折り返し部
７は支持板
８は支持板
９は係止用凸部
１０は係止用凸部
１１は係止用凹部
１２は係止用Ｌ部
１３は係止用一体部
１４は係止用スペース
１５はカップ
１６は前側
１７は後側
【図１】
2005199013.tif 000003
【図２】
2005199013.tif 000004
【図３】
2005199013.tif 000005